(57)【要約】【解決手段】医療用チューブ９０６のためのフレア状ルアーコネクタ１００のためのシステム及び方法が提供される。フレア状ルアーコネクタ１００は、入口１０６と該入口とは反対側の出口１０８を備えるとともに入口と出口との間に長手方向軸１２２を伴う弾性材料から形成されるチューブヘッドアダプタ１０２を含む。ルアーロック取付具１０４が、入口１０６に近接して形成されるとともに注射器９０２と係合するように構造化されて配置され、ルアーロック取付具１０４と出口１０８との間に配置される少なくとも１つのフレア状部材１１２を含み、フレア状部材１１２は、チューブヘッドアダプタ１０２から立ち上がって出口１０８に向けて傾斜される。フレア状部材１１２は、チューブヘッドアダプタ１０２と遠位縁部１１４との間に少なくとも１つの係合面１２０も備え、係合面１２０は長手方向軸１２２に対して鋭角を成す。【選択図】図１Ａ
2019500966.tif 000002
【特許請求の範囲】
【請求項１】
医療用チューブのためのフレア状ルアーコネクタにおいて、
弾性材料から形成されるチューブヘッドアダプタを備え、このチューブヘッドアダプタは、
入口及び該入口とは反対側の出口であって、前記入口と前記出口との間に長手方向軸を伴う、入口及び出口と、
前記入口に近接して形成され、注射器と係合するように構造化されて配置されるルアーロック取付具と、
前記ルアーロック取付具と前記出口との間に配置される少なくとも１つのフレア状部材であって、前記フレア状部材が前記チューブヘッドアダプタから立ち上がって前記出口へ向けて傾斜され、前記フレア状部材が前記チューブヘッドアダプタと遠位縁部との間に少なくとも１つの係合面を更に備え、前記係合面が前記長手方向軸に対して鋭角を成す、少なくとも１つのフレア状部材と、
を備える、フレア状ルアーコネクタ。
【請求項２】
前記係合面は、ベースの対応して傾斜される受け部と係合するように構造化されて配置され、前記ベースは、前記フレア状部材以外を有するチューブヘッドアダプタを偏向させるように構造化されて配置される傾斜した偏向部を有する、請求項１に記載のフレア状ルアーコネクタ。
【請求項３】
前記ベースが注射器ポンプに設けられる挿入体である、請求項２に記載のフレア状ルアーコネクタ。
【請求項４】
前記ベースが注射器ポンプの構成要素である、請求項２に記載のフレア状ルアーコネクタ。
【請求項５】
前記チューブヘッドアダプタは、前記ルアーロック取付具が注射器と係合されるときに操作者により把持されるように構造化されて配置される少なくとも１つのグリッパを更に備える、請求項１に記載のフレア状ルアーコネクタ。
【請求項６】
前記係合面の角度が一定である、請求項１に記載のフレア状ルアーコネクタ。
【請求項７】
前記係合面の角度が放物線に対応する、請求項１に記載のフレア状ルアーコネクタ。
【請求項８】
前記フレア状部材は、前記チューブヘッドアダプタが前記注射器から取り外されて少なくとも部分的に表面上に水平に配置されるときに前記ルアーロック取付具を表面から離れるように持ち上げる、請求項１に記載のフレア状ルアーコネクタ。
【請求項９】
前記チューブヘッドアダプタが略円筒状である、請求項１に記載のフレア状ルアーコネクタ。
【請求項１０】
前記ルアーロック取付具は、円筒状のハウジング内に嵌合するように構造化されて配置される第１の外側部分を有し、前記フレア状部材は、前記第１の外側部分の背後で前記チューブヘッドアダプタの周りに配置される、請求項１に記載のフレア状ルアーコネクタ。
【請求項１１】
前記フレア状部材は、前記チューブヘッドアダプタから立ち上がって前記ルアーロック取付具から離れるように広がる周方向錐体である、請求項１に記載のフレア状ルアーコネクタ。
【請求項１２】
前記周方向錐体は、前記ヘッドアダプタに対して垂直な略円形断面を有する、請求項１１に記載のフレア状ルアーコネクタ。
【請求項１３】
前記周方向錐体は、前記ヘッドアダプタに対して垂直な断面が少なくとも１つの直線部を有するように複数の部分によってもたらされる、請求項１１に記載のフレア状ルアーコネクタ。
【請求項１４】
前記フレア状ルアーコネクタが医療用チューブに結合される、請求項１に記載のフレア状ルアーコネクタ。
【請求項１５】
前記入口と前記出口との間の流体チャネル内に配置される少なくとも１つのフィルタを更に含む、請求項１に記載のフレア状ルアーコネクタ。
【請求項１６】
少なくとも２つの部材、すなわち、注射器と係合するように構造化されて配置されるルアーロック取付具としての第１の部材と、前記ルアーロック取付具に隣接して軸方向に接続される周方向錐体としての第２の部材とを備える、弾性材料から形成されるチューブヘッドアダプタを備え、前記周方向錐体は、前記チューブヘッドアダプタから立ち上がって、前記第１の部材のルアーロック取付具から離れるように広がり、前記周方向錐体は、ベースの対応して傾斜される受け部と係合するように構造化されて配置される内側傾斜面を有する、医療用チューブのためのフレア状ルアーコネクタ。
【請求項１７】
前記第２の部材は、前記第１の部材の前記ルアーロック取付具の背後で軸方向に接続される請求項１６に記載のフレア状ルアーコネクタ。
【請求項１８】
前記チューブヘッドアダプタは、前記ルアーロック取付具が注射器と係合されるときに操作者により把持されるように構造化されて配置される少なくとも１つのグリッパを更に備える、請求項１６に記載のフレア状ルアーコネクタ。
【請求項１９】
前記チューブヘッドアダプタが略円筒状である、請求項１６に記載のフレア状ルアーコネクタ。
【請求項２０】
前記周方向錐体は、前記チューブヘッドアダプタが前記注射器から取り外されて少なくとも部分的に表面上に水平に配置されるときに前記ルアーロック取付具を表面から離れるように持ち上げる、請求項１６に記載のフレア状ルアーコネクタ。
【請求項２１】
前記周方向錐体は、前記ヘッドアダプタに対して垂直な略円形断面を有する、請求項１６に記載のフレア状ルアーコネクタ。
【請求項２２】
前記内側傾斜面の角度が一定である、請求項１６に記載のフレア状ルアーコネクタ。
【請求項２３】
前記内側傾斜面の角度が放物線に対応する、請求項１６に記載のフレア状ルアーコネクタ。
【請求項２４】
前記周方向錐体は、前記ヘッドアダプタに対して垂直な断面が少なくとも１つの直線部を有するように複数の部分によってもたらされる、請求項１６に記載のフレア状ルアーコネクタ。
【請求項２５】
前記フレア状ルアーコネクタが医療用チューブに結合される、請求項１６に記載のフレア状ルアーコネクタ。
【請求項２６】
前記チューブヘッドアダプタは、前記ルアーロック取付具に隣接する入口と、該入口とは反対側の出口とを備え、前記入口と前記出口との間に流体チャネルを伴い、前記フレア状ルアーコネクタは、前記流体チャネル内に配置される少なくとも１つのフィルタを更に含む、請求項１６に記載のフレア状ルアーコネクタ。
【請求項２７】
医療用チューブのためのフレア状ルアーコネクタと共に用いる注射器ポンプにおいて、
バレルに沿って移動可能なプランジャと係合チューブとを有する注射器を受けるように構造化されて配置されるハウジングであって、前記係合チューブが、前記注射器に係合されるルアーロック取付具を備えるヘッドアダプタと、前記ヘッドアダプタから立ち上がって前記ルアーロック取付具から離れるように広がる周方向錐体とを備え、前記周方向錐体が内側傾斜面を有する、ハウジングと、
前記フレア状ルアーコネクタの少なくとも一部を受けるように構造化されて配置される長手方向溝を内側に有する略円筒体を有するベースであって、前記円筒体が第１の端部を有し、前記第１の端部が、移行領域を間に伴う受け部及び偏向部を備え、
前記移行領域が前記円筒体の長手方向中心線の下方に配置され、
前記受け部が、前記長手方向溝から離れるように延びるとともに、前記フレア状ルアーコネクタによってもたらされる内側傾斜面の少なくとも一部を受けるように対応して傾斜され、
前記偏向部が、前記長手方向溝を横切って傾斜するとともに、前記フレア状ルアーコネクタ以外のチューブヘッドアダプタを偏向させるように構造化されて配置される、
ベースと、
前記注射器のプランジャと係合して該プランジャを前記チューブへ向けて押し進めるように構造化されて配置されるアクチュエータであって、前記アクチュエータの力が前記周方向錐体の前記内側傾斜面を前記ベースの受け部に更に係合させるアクチュエータと、
を備える注射器ポンプ。
【請求項２８】
前記偏向部は、前記周方向錐体以外を有するチューブヘッドアダプタを偏向させるように構造化されて配置される、請求項２７に記載の注射器ポンプ。
【請求項２９】
前記受け部と前記偏向部との間の移行領域が前記長手方向溝から径方向にオフセットされる、請求項２７に記載の注射器ポンプ。
【請求項３０】
前記ベースが注射器ポンプの構成要素である、請求項２７に記載の注射器ポンプ。
【請求項３１】
前記ベースは、ベースハウジングと結合するように構造化されて配置される挿入体である、請求項２７に記載の注射器ポンプ。
【請求項３２】
前記受け部は、前記長手方向溝に対して垂直な略円形断面を有する、請求項２７に記載の注射器ポンプ。
【請求項３３】
前記受け部の角度が一定である、請求項２７に記載の注射器ポンプ。
【請求項３４】
前記受け部の角度が放物線に対応する、請求項２７に記載の注射器ポンプ。
【請求項３５】
医療用チューブのためのフレア状ルアーコネクタのためのベースにおいて、
前記フレア状ルアーコネクタの少なくとも一部を受けるように構造化されて配置される長手方向溝を内側に有する略円筒体を備え、前記円筒体が第１の端部を有し、前記第１の端部は、移行領域を間に伴う受け部及び偏向部を備え、
前記移行領域が前記円筒体の長手方向中心線の下方に配置され、
前記受け部は、前記長手方向溝から離れるように延びるとともに、前記フレア状ルアーコネクタによってもたらされる内側傾斜面の少なくとも一部を受けるように対応して傾斜され、
前記偏向部は、前記長手方向溝を横切って傾斜するとともに、前記フレア状ルアーコネクタ以外のチューブヘッドアダプタを偏向させるように構造化されて配置される、
ベース。
【請求項３６】
前記受け部と前記偏向部との間の移行領域が前記長手方向溝から径方向にオフセットされる、請求項３５に記載のベース。
【請求項３７】
前記ベースが注射器ポンプの構成要素である、請求項３５に記載のベース。
【請求項３８】
前記ベースは、ベースハウジングと結合するように構造化されて配置される挿入体である、請求項３５に記載のベース。
【請求項３９】
前記ベースハウジングがＦｒｅｅｄｏｍｅＥｄｇｅ注射器注入システムである、請求項３８に記載のベース。
【請求項４０】
前記ベースハウジングがＦｒｅｅｄｏｍｅ６０（登録商標）注射器注入システムである、請求項３８に記載のベース。
【請求項４１】
前記受け部が前記長手方向溝に対して垂直な略円形断面を有する、請求項３５に記載のベース。
【請求項４２】
前記受け部の角度が一定である、請求項３５に記載のベース。
【請求項４３】
前記受け部の角度が放物線に対応する、請求項３５に記載のベース。
【請求項４４】
前記フレア状ルアーコネクタは、
弾性材料から形成されるチューブヘッドアダプタを含み、このチューブヘッドアダプタは、
入口及び該入口とは反対側の出口であって、前記入口と前記出口との間に長手方向軸を伴う、入口及び出口と、
前記入口に近接して形成され、注射器と係合するように構造化されて配置されるルアーロック取付具と、
前記ルアーロック取付具と前記出口との間に配置される少なくとも１つのフレア状部材であって、前記フレア状部材が前記チューブヘッドアダプタから立ち上がって前記出口へ向けて傾斜され、前記フレア状部材が前記チューブヘッドアダプタと遠位縁部との間に少なくとも１つの内側傾斜面を更に備え、前記内側傾斜面が前記長手方向軸に対して鋭角を成す、少なくとも１つのフレア状部材と、
を備える請求項３５に記載のベース。
【請求項４５】
注射器と係合するように構造化されて配置されるルアーロック取付具を備える、弾性材料から形成されるチューブヘッドアダプタと、前記ヘッドアダプタから立ち上がって前記ルアーロック取付具から離れるように広がる周方向錐体とを有し、前記錐体が、ベースの対応して傾斜される受け部と係合するように構造化されて配置される内側傾斜面を有する、チューブと、
フレア状ルアーコネクタの少なくとも一部を受けるように構造化されて配置される長手方向溝を内側に有する略円筒体を有するベースであって、前記円筒体が第１の端部を有し、前記第１の端部が、移行領域を間に伴う受け部及び偏向部を備え、
前記移行領域が前記円筒体の長手方向中心線の下方に配置され、
前記受け部が、前記長手方向溝から離れるように延びるとともに、前記フレア状ルアーコネクタによってもたらされる内側傾斜面の少なくとも一部を受けるように対応して傾斜され、
前記偏向部が、前記長手方向溝を横切って傾斜するとともに、前記フレア状ルアーコネクタ以外のチューブヘッドアダプタを偏向させるように構造化されて配置される、
ベースと、
を備える、注射器ポンプのためのフレア状ルアー医療用チューブキット。
【請求項４６】
前記チューブヘッドは、前記ルアーロック取付具が注射器と係合されるときに操作者により把持されるように構造化されて配置される少なくとも１つのグリッパを更に備える、請求項４５に記載の医療用チューブキット。
【請求項４７】
前記周方向錐体は、前記チューブヘッドアダプタが前記注射器から取り外されて少なくとも部分的に表面上に水平に配置されるときに前記ルアーロック取付具を表面から離れるように持ち上げる、請求項４５に記載の医療用チューブキット。
【請求項４８】
前記チューブヘッドアダプタが略円筒状である、請求項４５に記載の医療用チューブキット。
【請求項４９】
前記受け部と前記偏向部との間の移行領域が前記長手方向溝から径方向にオフセットされる、請求項４５に記載の医療用チューブキット。
【請求項５０】
前記周方向錐体は、前記ヘッドアダプタに対して垂直な略円形断面を有する、請求項４５に記載の医療用チューブキット。
【請求項５１】
前記周方向錐体の前記内側傾斜面の角度が一定である、請求項４５に記載の医療用チューブキット。
【請求項５２】
前記周方向錐体の前記内側傾斜面の角度が放物線に対応する、請求項４５に記載の医療用チューブキット。
【請求項５３】
前記ベースは、ベースハウジングと結合するように構造化されて配置される挿入体である、請求項４５に記載の医療用チューブキット。
【請求項５４】
前記受け部が前記長手方向溝に対して垂直な略円形断面を有する、請求項４５に記載の医療用チューブキット。
【請求項５５】
前記受け部の角度が一定である、請求項４５に記載の医療用チューブキット。
【請求項５６】
前記受け部の角度が放物線に対応する、請求項４５に記載の医療用チューブキット。
【請求項５７】
フレア状ルアー医療用チューブを使用するための方法において、
注射器と係合するように構造化されて配置されるルアーロック取付具を備える、弾性材料から形成されるチューブヘッドアダプタと、前記チューブヘッドアダプタから立ち上がって前記ルアーロック取付具から離れるように広がる周方向錐体とを有するチューブを用意するステップであって、前記周方向錐体がベースの対応して傾斜される受け部と係合するように構造化されて配置される内側傾斜面を有する、ステップと、
前記チューブの前記ルアーロック取付具をバレルを有する注射器に係合させるステップであって、前記バレルが、該バレル内に配置されて前記バレルに沿って移動できるプランジャを有し、したがって、前記周方向錐体が前記注射器から離れるように広がる、ステップと、
アクチュエータ及びベースを有するポンプ内に係合されたチューブと共に前記注射器を配置するステップであって、前記ベースが、
前記チューブの少なくとも一部を受けるように構造化されて配置される長手方向溝と、
前記長手方向溝から離れるように延びるとともに、前記周方向錐体の前記内側傾斜面の少なくとも一部を受けるように対応して傾斜される受け部と、
前記長手方向溝を横切って傾斜するとともに、前記周方向錐体以外を有するチューブヘッドアダプタを偏向させるように構造化されて配置される偏向部と、
を有し、
前記アクチュエータが前記注射器のプランジャと係合して該プランジャを前記チューブへ向けて押し進めるように構造化されて配置され、前記アクチュエータの力が前記周方向錐体の前記内側傾斜面を前記ベースの前記受け部に更に係合させる、ステップと、
を備える方法。
【請求項５８】
前記チューブヘッドアダプタは、前記ルアーロック取付具が注射器と係合されるときに操作者により把持されるように構造化されて配置される少なくとも１つのグリッパを更に備える、請求項５７に記載の方法。
【請求項５９】
前記周方向錐体は、前記チューブヘッドアダプタが前記注射器から取り外されて少なくとも部分的に表面上に水平に配置されるときに前記ルアーロック取付具を表面から離れるように持ち上げる、請求項５７に記載の方法。
【請求項６０】
前記周方向錐体は、前記ヘッドアダプタに対して垂直な略円形断面を有する、請求項５７に記載の方法。
【請求項６１】
前記内側傾斜面の角度が一定である、請求項５７に記載の方法。
【請求項６２】
前記内側傾斜面の角度が放物線に対応する、請求項５７に記載の方法。
【請求項６３】
前記受け部と前記偏向部との間の移行領域が前記長手方向溝から径方向にオフセットされる、請求項５７に記載の方法。
【請求項６４】
前記ベースが注射器ポンプの構成要素である、請求項５７に記載の方法。
【請求項６５】
前記ベースは、ベースハウジングと結合するように構造化されて配置される挿入体である、請求項５７に記載の方法。
【請求項６６】
前記受け部が前記長手方向溝に対して垂直な略円形断面を有する、請求項５７に記載の方法。
【請求項６７】
前記受け部の角度が一定である、請求項５７に記載の方法。
【請求項６８】
前記受け部の角度が放物線に対応する、請求項５７に記載の方法。
【発明の詳細な説明】
【技術分野】
【０００１】
（関連出願の相互参照）
この出願は、医療用チューブのためのフレア状ルアーコネクタのためのシステム及び方法と題される２０１６年１月４日に出願された米国仮特許出願第６２／２７４，４８７号の３５Ｕ．Ｓ．Ｃ．§１１９（ｅ）に基づく利益を主張し、その開示内容は参照により本願に組み入れられる。
【０００２】
（技術分野）
本発明は、一般に医療装置に関し、より具体的には、無菌性を維持するとともに注射器又は他の医薬品リザーバ及び医薬品送出用のポンプに対する適切な接続を確保することによってチューブと注射器との間の無作為の相互接続の機会を排除する医療用チューブ並びにシステム及び方法に関する。更に、本発明は、特定の結合システムを使用することによって第三者又は意図しない医療用チューブの使用機会を最小限に抑える。
【背景技術】
【０００３】
液体医薬品は、一般に、注射又は注入によって患者に送出される。そのような送出は一般に２つの方法のうちの１つで行なわれる。第１の方法は、患者の組織に直接に配置される注射器及び針を用いて行なわれる簡単な注射の形態を成すヘルスケア提供者からの即時送出である。第２の方法は、注射器又は他のリザーバが経時的送出のために特定の医療用チューブに接続される漸進的送出である。
【０００４】
頻繁に、ＩＶポンプ注射器の無菌調製法を教示するＳｅａｌｆｏｎの米国特許第５，７４１，２２７号などの注射器ポンプシステムが使用される。前述したように、Ｓｅａｌｆｏｎは、チューブセット１４の無菌性を維持して、チューブセット１４を注射器１２に結合するとともに、結合された注射器１２を注射器ポンプ１０内に配置するための多くの利点を教示する。
【０００５】
より具体的には、Ｓｅａｌｆｏｎは、チューブセット自体の入口３４とチューブ係合手段５０との間に介挿されるコネクタ端部でチューブセット１４に加えられるディスク４８を教示する。このディスク４８は、多くの利点を提供して実行することが分かってきた。例えば、このディスク４８は、チューブ端部を表面から持ち上げ、それにより、チューブ端部が注射器に接続されていないときに降ろされる場合に及び／又はその際には、チューブ端部の無菌状態を促進する役目を果たす。
【０００６】
加えて、ディスク４８は、注射器に対するチューブセットの結合中に操作者の指のための便利なブレースを備える−ディスク４８は、入口３４上にわたる指の滑りを更に防止して、この場合も先と同様に入口３４の無菌性を促進する。更にまた、ディスクは、注射器ポンプ１０のためのブレースを備え、それにより、結合された注射器１２及びチューブセット１４が注射器ポンプ１０内に配置されるときにディスク４８がブレースをもたらし、該ブレースに対して、注射器ポンプ１０の力が、結合された注射器１２及びチューブセット１４を所定位置に一時的にロックする役目を果たす。
【０００７】
Ｓｅａｌｆｏｎ‘２２７注射器ポンプなどの定圧ポンプと共に較正されたチューブ及び針を使用することにより、組織への液体の安全な送出を事実上保証することができる。組織の飽和が起こると、流れに対する抵抗が増加し、システムは、流れを低下させることによって直ちに自己調整する。実際に、組織内の圧力がポンプからの圧力に等しくなるように組織が十分な液体を受けた場合には、投与される液体の流れが止まる。患者ケアの面では、これは非常に有利である。それによって、偶発的な過剰投薬の機会が大幅に減るからである。
【０００８】
定圧システムの場合と同様に、定流量システムでは、較正されたチューブ及び針が再び一般的に使用される。しかしながら、定流量システムでは、受け入れ部位で圧力が増大するにつれて、システムが所望の流れを維持するために圧力を増大させ、その結果、過剰投薬をもたらし得る。更に、一定の圧力を維持することに焦点を当てることは、患者に有害な治療をもたらし得る。
【０００９】
しかしながら、定流量及び定圧の両方におけるファクタは、正しいチューブの使用である。Ｓｅａｌｆｏｎ‘２２７によって教示されるディスクを有する第三者チューブの利用可能性は、最良の意図にもかかわらず所望の較正に適合しない不当なチューブが使用され得る可能性をもたらしてきた。したがって、意図しない投与がもたらされて患者に悪影響が及ぶ場合がある。
【００１０】
加えて、異なる医薬品を供給する異なる液体を意図した異なるチューブラインが交差して、間違った組織に誤った物質が供給される場合がある。‘２２７によって教示されるディスクの使用は入口を保護するのに非常に有用であってチューブセット接続中にブレースとして役立つため、ディスク自体は誤った接続を避けるのに役立たない。
【００１１】
更に、ディスクの使用はそれ自体保護されないため、市場内の競争は概して良好であるが、ディスクを利用する異なるチューブオプションの利用可能性は、患者の健康とケアに悪影響を与え得る潜在的な問題をもたらしてきた。
【００１２】
したがって、チューブセットのみ、及び、前述の特定された課題のうちの１つ以上を克服する注射器ポンプを伴うチューブセットの必要性がある。
【発明の概要】
【００１３】
本発明は、医療用チューブのためのフレア状ルアーコネクタのための新規なシステム及び方法を提供することによって従来技術の問題を解決する。
【００１４】
特に、単なる一例として、本発明の一実施形態によれば、医療用チューブのためのフレア状ルアーコネクタが提供され、このフレア状ルアーコネクタは、弾性材料から形成されるチューブヘッドアダプタを含み、このチューブヘッドアダプタは、入口及び該入口とは反対側の出口であって、入口と出口との間に長手方向軸を伴う、入口及び出口と、入口に近接して形成され、注射器と係合するように構造化されて配置されるルアーロック取付具と、ルアーロック取付具と出口との間に配置される少なくとも１つのフレア状部材であって、フレア状部材がチューブヘッドアダプタから立ち上がって出口へ向けて傾斜され、フレア状部材がチューブヘッドアダプタと遠位縁部との間に少なくとも１つの係合面を更に備え、係合面が長手方向軸に対して鋭角を成す、少なくとも１つのフレア状部材とを備える。
【００１５】
更なる他の実施形態では、少なくとも２つの部材、すなわち、注射器と係合するように構造化されて配置されるルアーロック取付具としての第１の部材と、ルアーロック取付具に隣接して軸方向に接続される周方向錐体としての第２の部材とを備える弾性材料から形成されるチューブヘッドアダプタを含み、周方向錐体が、チューブヘッドアダプタから立ち上がって、第１の部材のルアーロック取付具から離れるように広がり、周方向錐体が、ベースの対応して傾斜される受け部と係合するように構造化されて配置される内側傾斜面を有する、医療用チューブのためのフレア状ルアーコネクタが提供される。
【００１６】
更なる他の実施形態においては、医療用チューブのためのフレア状ルアーコネクタと共に用いる注射器ポンプが提供され、この注射器ポンプは、バレルに沿って移動可能なプランジャと係合チューブとを有する注射器を受けるように構造化されて配置されるハウジングであって、係合チューブが、注射器に係合されるルアーロック取付具を備えるヘッドアダプタと、ヘッドアダプタから立ち上がってルアーロック取付具から離れるように広がる周方向錐体とを備え、周方向錐体が内側傾斜面を有する、ハウジングと、チューブの少なくとも一部を受けるように構造化されて配置される長手方向溝と、長手方向溝から離れるように延びるとともに、周方向錐体の内側傾斜面の少なくとも一部を受けるように対応して傾斜される受け部と、長手方向溝を横切って傾斜する偏向部とを有するベースと、注射器のプランジャと係合して該プランジャをチューブへ向けて押し進めるように構造化されて配置されるアクチュエータであって、アクチュエータの力が周方向錐体の内側傾斜面をベースの受け部に更に係合させる、アクチュエータとを含む。
【００１７】
更に他の実施形態では、医療用チューブのためのフレア状ルアーコネクタのためのベースが提供され、このベースは、フレア状ルアーコネクタの少なくとも一部を受けるように構造化されて配置される長手方向溝を内側に有する略円筒体を含み、円筒体が第１の端部を有し、第１の端部は、移行領域を間に伴う受け部及び偏向部を備え、移行領域が円筒体の長手方向中心線の下方に配置され、受け部は、長手方向溝から離れるように延びるとともに、フレア状ルアーコネクタによってもたらされる内側傾斜面の少なくとも一部を受けるように対応して傾斜され、偏向部は、長手方向溝を横切って傾斜するとともに、フレア状ルアーコネクタ以外を有するチューブヘッドアダプタを偏向させるように構造化されて配置される。
【００１８】
更なる他の実施形態では、注射器ポンプのためのフレア状ルアー医療用チューブキットが提供され、このフレア状ルアー医療用チューブキットは、注射器と係合するように構造化されて配置されるルアーロック取付具を備える弾性材料から形成されるチューブヘッドアダプタと、ヘッドアダプタから立ち上がってルアーロック取付具から離れるように広がる周方向錐体とを有し、錐体が、ベースの対応して傾斜される受け部と係合するように構造化されて配置される内側傾斜面を有する、チューブと、チューブの少なくとも一部を受けるように構造化されて配置される長手方向溝と、長手方向溝から離れるように延びるとともに、周方向錐体の内側傾斜面の少なくとも一部を受けるように対応して傾斜される受け部と、長手方向溝を横切って傾斜するとともに、周方向錐体以外を有するチューブヘッドアダプタを偏向させるように構造化されて配置される偏向部とを有するベースとを含む。
【００１９】
また、更なる他の実施形態では、フレア状ルアー医療用チューブを使用するための方法が提供され、この方法は、注射器と係合するように構造化されて配置されるルアーロック取付具を備える弾性材料から形成されるチューブヘッドアダプタと、ヘッドアダプタから立ち上がってルアーロック取付具から離れるように広がる周方向錐体とを有するチューブを用意するステップであって、周方向錐体がベースの対応して傾斜される受け部と係合するように構造化されて配置される内側傾斜面を有する、ステップと、チューブのルアーロック取付具をバレルを有する注射器に係合させるステップであって、バレルが、該バレル内に配置されてバレルに沿って移動できるプランジャを有し、したがって、周方向錐体が注射器から離れるように広がる、ステップと、アクチュエータ及びベースを有するポンプ内に係合されたチューブと共に注射器を配置するステップであって、ベースが、チューブの少なくとも一部を受けるように構造化されて配置される長手方向溝と、長手方向溝から離れるように延びるとともに、周方向錐体の内側傾斜面の少なくとも一部を受けるように対応して傾斜される受け部と、長手方向溝を横切って傾斜するとともに、周方向錐体以外を有するチューブヘッドアダプタを偏向させるように構造化されて配置される偏向部とを有し、アクチュエータが注射器のプランジャと係合して該プランジャをチューブへ向けて押し進めるように構造化されて配置され、アクチュエータの力が周方向錐体の内側傾斜面をベースの受け部に更に係合させる、ステップとを含む。
【図面の簡単な説明】
【００２０】
【図１Ａ】本発明の少なくとも１つの実施形態に係るフレア状ルアーコネクタの側面図である。
【図１Ｂ】本発明の少なくとも１つの実施形態に係るフレア状ルアーコネクタの斜視図である。
【図１Ｃ】本発明の少なくとも１つの実施形態に係るフレア状ルアーコネクタの斜視図である。
【００２１】
【図２】本発明の少なくとも１つの実施形態に係る図１Ａ〜図１Ｃに示されるフレア状ルアーコネクタの別の拡大斜視図である。
【００２２】
【図３Ａ】本発明の少なくとも１つの実施形態に係る図１Ａ、図１Ｂ、及び、図１Ｃ、並びに、図２に示されるようなフレア状ルアーコネクタと共に使用するためのベースの上面図である。
【図３Ｂ】本発明の少なくとも１つの実施形態に係る図１Ａ、図１Ｂ、及び、図１Ｃ、並びに、図２に示されるようなフレア状ルアーコネクタと共に使用するためのベースの下面図である。
【図３Ｃ】本発明の少なくとも１つの実施形態に係る図１Ａ、図１Ｂ、及び、図１Ｃ、並びに、図２に示されるようなフレア状ルアーコネクタと共に使用するためのベースの前端図である。
【図３Ｄ】本発明の少なくとも１つの実施形態に係る図１Ａ、図１Ｂ、及び、図１Ｃ、並びに、図２に示されるようなフレア状ルアーコネクタと共に使用するためのベースの斜視図である。
【図３Ｅ】本発明の少なくとも１つの実施形態に係る図１Ａ、図１Ｂ、及び、図１Ｃ、並びに、図２に示されるようなフレア状ルアーコネクタと共に使用するためのベースの斜視面図である。
【００２３】
【図４】本発明の少なくとも１つの実施形態に係る図３Ａ〜図３Ｃに示されるベースの別の拡大斜視図である。
【００２４】
【図５Ａ】本発明の少なくとも１つの実施形態に係るフレア状ルアーコネクタの切断図である。
【図５Ｂ】本発明の少なくとも１つの実施形態に係るフレア状ルアーコネクタの対応する側面図である。
【００２５】
【図６Ａ】本発明の少なくとも１つの実施形態に係るベースの切断図である。
【図６Ｂ】本発明の少なくとも１つの実施形態に係るベースの対応する側面図である。
【００２６】
【図７】本発明の少なくとも１つの実施形態に係るフレア状ルアーコネクタ及びベースによって許容される有利な嵌合接続を示す部分側切断図である。
【００２７】
【図８】本発明の少なくとも１つの実施形態に係るベースに配置されるときの非フレア状ルアーコネクタの有利な拒絶を示す部分側切断図である。
【００２８】
【図９】本発明の少なくとも１つの実施形態に係るフレア状ルアーコネクタを受けるベースを有する注射器ポンプ内に配置されて注射器に結合されるフレア状ルアーコネクタの部分側切断図である。
【００２９】
【図１０Ａ】本発明の少なくとも１つの実施形態に係るフレア状ルアーコネクタ、ベース、注射器、及び、注射器ポンプの部分上面図である。
【図１０Ｂ】本発明の少なくとも１つの実施形態に係るフレア状ルアーコネクタ、ベース、注射器、及び、注射器ポンプの分解側面図である。
【００３０】
【図１１】本発明の少なくとも１つの実施形態に係る組み立てられていつでも使用できる状態のフレア状ルアーコネクタ、ベース、注射器、及び、注射器ポンプシステムの側面斜視図である。
【００３１】
【図１２Ａ】本発明の少なくとも１つの実施形態に係る図１Ａ、図１Ｂ、及び、図１Ｃ、並びに、図２に示されるようなフレア状ルアーコネクタと共に使用するための別のベースの上面図である。
【図１２Ｂ】本発明の少なくとも１つの実施形態に係る図１Ａ、図１Ｂ、及び、図１Ｃ、並びに、図２に示されるようなフレア状ルアーコネクタと共に使用するための別のベースの下面図である。
【図１２Ｃ】本発明の少なくとも１つの実施形態に係る図１Ａ、図１Ｂ、及び、図１Ｃ、並びに、図２に示されるようなフレア状ルアーコネクタと共に使用するための別のベースの前端図である。
【図１２Ｄ】本発明の少なくとも１つの実施形態に係る図１Ａ、図１Ｂ、及び、図１Ｃ、並びに、図２に示されるようなフレア状ルアーコネクタと共に使用するための別のベースの斜視図である。
【図１２Ｅ】本発明の少なくとも１つの実施形態に係る図１Ａ、図１Ｂ、及び、図１Ｃ、並びに、図２に示されるようなフレア状ルアーコネクタと共に使用するための別のベースの斜視面図である。
【００３２】
【図１３】本発明の少なくとも１つの実施形態に係る別の組み立てられていつでも使用できる状態のフレア状ルアーコネクタ、ベース、注射器、及び、注射器ポンプシステムの側面斜視図である。
【００３３】
【図１４】本発明の少なくとも１つの実施形態に係るフレア状ルアーコネクタ及びベースを使用する方法を概念化する高レベルの流れ図である。
【発明を実施するための形態】
【００３４】
詳細な説明に進む前に、本教示が単なる一例にすぎないものであって限定的ではないことを理解すべきである。本明細書中の概念は、医療用チューブのためのフレア状ルアーコネクタのための特定のシステム又は方法を伴う使用又は用途、フレア状ルアー医療用チューブを伴うキット、又は、医療用チューブのためのフレア状ルアーコネクタと共に用いる注射器ポンプに限定されない。したがって、本明細書中に記載される手段は、典型的な実施形態に関して示されて記載される説明の便宜のためのものであるが、本明細書中の原理をフレア状ルアーを伴うチューブに関与する他のタイプのシステム及び方法においても同様に適用できることが理解されて認識される。
【００３５】
この発明は、図に関連する以下の説明において好ましい実施形態に関して記載され、図中、同様の番号は同一又は類似の要素を表わす。更に、同じ又は同様の要素の番号付けに関して分かるように、先頭の値は、要素が最初に特定されて描かれる図を特定し、例えば要素１００は図１において最初に現れる。
【００３６】
医療産業では、流体及び気体を患者へ送出する装置、チューブ、及び、付属品を相互接続するために小口径コネクタが一般に使用される。一般にチューブに設けられるとともに接続及び取り外しのために人によって握られる小コネクタは、一般的に、ルアー取付具又は単にルアーと称される。
【００３７】
実際の接続要素は、より適切には、ルアーテーパと称され、これについては、ロック及びスリップの２つのタイプがある。ルアーロックの場合には、チューブと医療器具又は実験器具とが一緒にねじられる。これは、少なくとも１つのルアーロック取付具が一方の取付具を他方の取付具に結合するネジ山を有するからである。ルアースリップの場合には、取付具が一緒に圧入されて摩擦によって保持される。注射器やポンプなどのように圧力がファクタである場合には、ルアーロックが一般に好ましい。これは、螺合がより緊密な漏れのない結合をもたらすからである。
【００３８】
特定のタイプのコネクタがない接続に関する特定の起点にもかかわらず、「ルアー」について言及する場合、特定されるべきであるのがエンドコネクタ全体であることが一般に理解されて受け入れられる。したがって、本明細書中で言及されるフレア状ルアーは、端部取付具全体に適用されると理解されて認識される。
【００３９】
ここで、図１、より具体的には図１Ａ、図１Ｂ、及び、図１Ｃを参照すると、本発明の少なくとも１つの実施形態に係るフレア状ルアーコネクタ１００が示される。より具体的には、少なくとも１つの実施形態に関して、フレア状ルアーコネクタ１００は、ポリカーボネート、プラスチック、セラミック、又は、他の適切な材料などの弾性材料から形成されるがこれらに限定されないチューブヘッドアダプタ１０２によってもたらされる。
【００４０】
このフレア状ルアーコネクタ１００のためのシステム及び方法の説明を容易にするために、図示のようなフレア状ルアーコネクタ１００の向きは、図１に示されるように互いに直交する３つの軸を伴う座標系を基準とする。軸は、人の足の中心であるように選択される座標系の原点で互いに交わるが、全ての図に示される軸は、図示を明確且つ容易にするためにそれらの実際の位置からオフセットされる。
【００４１】
図示のように、チューブヘッドアダプタ１０２は、入口１０６に近接するルアーロック取付具１０４を備える。また、チューブヘッドアダプタ１０２は、医療用チューブと結合するように構造化されて配置される出口１０８を有する。一般に、入口１０６及び出口１０８は、破線により概念的に示されるほぼ真っ直ぐな流体チャネル１１０の両端がこれらを貫通して延びるように、互いに反対側に位置してフレア状ルアーコネクタ１００のいずれか一方の端部に設けられる。勿論、この流体チャネル１１０は、本発明の範囲から逸脱することなく、入口１０６と出口１０８との間のその長さにわたって直径が変化してもよく、角度を成していてもよく、或いは、幾つかの実施形態ではある角度のねじれを成していてもよい。
【００４２】
添付の図に示されるように、少なくとも１つの実施形態に関し、ルアーロック取付具１０４は、注射器のノズルの周りに設けられる円筒状ハウジング内に嵌合するように構造化されて配置されるネジ山として示される第１の外側部分を有する。図示しない少なくとも１つの別の実施形態においては、逆に、ルアーロック取付具１０４は、注射器のノズルに対して直接に結合するように構造化されて配置された雌ねじを備える。
【００４３】
ルアーロック取付具１０４と出口１０８との間には、チューブヘッドアダプタ１０２から周方向に立ち上がって出口１０８へ向けて傾斜される少なくとも１つのフレア状部材１１２が配置される。フレア状部材１１２に関して本明細書中で使用される傾斜という用語は、ほぼ垂直な方向以外の方向に延びると理解されて認識される平坦、湾曲、及び／又は、他の構造をいずれも含むように理解されて認識される。したがって、このフレア状部材１１２は、チューブヘッドアダプタ１０２の側壁１１６よりも上側で且つフレア状部材１１２のベース１１８とチューブヘッドアダプタ１０２の側壁１１６との間の結合点の背後に配置される遠位縁部１１４を有する。このフレア状部材１１２は、チューブヘッドアダプタ１０２の長手方向軸１２２に対してほぼ鋭角を成す少なくとも１つの係合面１２０を備える。
【００４４】
少なくとも１つの実施形態においては、フレア状部材１１２の遠位縁部１１４がほぼ平坦な円形表面を有することが理解されて認識されるべきである。この平坦な円形表面は、現在ディスクルアーに適しているシステムに関連してフレア状ルアーコネクタ１００を使用できるようにしてもよい。
【００４５】
このフレア状部材１１２は少なくとも３つの異なる利点を与える。
【００４６】
第１に、フレア状部材１１２の遠位縁部１１４がチューブヘッドアダプタ１０２の上方に／チューブヘッドアダプタ１０２から離れて配置されるため、フレア状部材１１２は、チューブヘッドアダプタ１０２が表面上に水平に配置されるときにルアーロック取付具１０４を表面から離れるように持ち上げるための支持体として作用し得る。
【００４７】
第２に、フレア状部材１１２は、ルアーロック取付具１０４を注射器、他の液体リザーバ、又は、他の装置に対して係脱させるときにユーザが自分の指を支えるための土台をもたらし、フレア状部材１１２は、係合又は離脱のプロセス中にルアーロック取付具１０４を不測の指接触から保護するのに役立つ。
【００４８】
第３に、フレア状部材１１２は、好適には、注射器ポンプによってもたらされ得るような対応するベースと相互作用し、ベースは、係合面の少なくとも一部を受けるように構造化されて配置される受け部と、フレア状部材１１２以外を有するチューブヘッドアダプタを偏向させるように構造化されて配置される偏向部とを有する。
【００４９】
少なくとも１つの実施形態において、少なくとも１つのフレア状部材１１２は、より具体的には、チューブヘッドアダプタ１０２から立ち上がってルアーロック取付具１０４から離れるように広がる周方向錐体１２６と見なされる。この周方向錐体１２６、より具体的には、内面は、ルアーロック取付具１０４から離れる方向を向くように描かれてもよい。言い換えると、周方向錐体１２６は、ルアーロック取付具１０４及び入口１０６から出口１０８へ向けて広がる。操作者による把持を容易にするために、チューブヘッドアダプタ１０２は、側方突出部又はテクスチャ加工面などの１つ以上のグリッパ１２４を備えてもよい。
【００５０】
少なくとも１つの実施形態において、周方向錐体１２６は、チューブヘッドアダプタ１０２に対して垂直な略円形断面を有する。更なる他の実施形態において、周方向錐体１２６は１つ以上の傾斜面によってもたらされてもよい。また、更なる他の実施形態において、周方向錐体１２６は、チューブヘッドアダプタ１０２に対して垂直な断面が少なくとも１つの直線部を有するように湾曲面と直線傾斜面との組み合わせによってもたらされてもよい。
【００５１】
周方向錐体１２６の使用が一般的に好ましい。これは、周方向錐体１２６の均一性が、後述するようにベース上に配置されたときに位置合わせのための特定の要件を課すことなくフレア状ルアーコネクタ１００の使用を可能にするからである。位置合わせが存在しないことが一般に望ましい。これは、ルアーロック取付具１０４がねじれにより係合され、また、フレア状ルアーコネクタ１００とベースとの間のような回転位置合わせ制約が意図せずにルアーロック取付具１０４の係合を緩め得るからである。
【００５２】
図１Ｃに関して更に分かるように、周方向錐体１２６は、内側傾斜面１２８、すなわち、係合面１２０を有する。少なくとも１つの実施形態において、この内側傾斜面１２８の角度は一定である。つまり、入口１０６から出口１０８までのフレア状ルアーコネクタ１００の任意の長手方向断面において、内側傾斜面１２８は、入口１０６に近接するチューブヘッドアダプタ１０２の側壁と交わってほぼ出口１０８の方向でチューブヘッドアダプタ１０２から離れるように立ち上がる直線のように見える。
【００５３】
少なくとも１つの別の実施形態において、この内側傾斜面１２８の角度は放物線に対応する。したがって、入口１０６から出口１０８までのフレア状ルアーコネクタ１００の任意の長手方向断面において、内側傾斜面１２８は、入口１０６に近接するチューブヘッドアダプタ１０２の側壁と交わってほぼ出口１０８の方向でチューブヘッドアダプタ１０２から離れるように立ち上がる曲線のように見える。
【００５４】
更に、様々な実施形態において、内側傾斜面１２８は、入口１０６から出口１０８までのフレア状ルアーコネクタ１００の長手方向断面で内側傾斜面１２８が直線状、曲線状、又は、直線部と湾曲部との組み合わせとして見えるように直線状の及び／又は湾曲した部分を備えてもよい。
【００５５】
周方向錐体１２６などのフレア状部材１１２は、フレア状ルアーコネクタ１００に対して幾つかの利点を与える。例えば、関連する図から明確に分かるように、周方向錐体１２６はチューブヘッドアダプタ１０２から大きく離れるように延びる。したがって、フレア状ルアーコネクタ１００が表面に隣接して水平に配置されると、ルアーロック取付具１０４及び入口１０６は、おそらく上方に保持され、それにより、一般に、それらが表面汚染物質に晒されないように無菌状態を維持する。更に、周方向錐体１２６は、注射器又は他の装置に対するルアーロック取付具１０４の係脱時に操作者が自分の指及び親指の先端を配置するための便利なブレースをもたらす。
【００５６】
更にまた、フレア状部材１１２／周方向錐体１２６、より具体的には内側傾斜面１２８は、好適には、適切なチューブが適切な注射器ポンプと共に使用されるという高度な確実性をフレア状ルアーコネクタ１００が課すことができるようにする。正しいチューブの使用は、しばしば、チューブを通じた流量が患者への適正な投与の鍵となる注入療法などの治療にとって最も重要となり得る。
【００５７】
更に、少なくとも１つの実施形態において、フレア状ルアーコネクタ１００は、注射器と係合するように構造化されて配置されるルアーロック取付具１０４と、チューブヘッドアダプタ１０２から立ち上がってルアーロック取付具１０４から離れるように広がる周方向錐体１２６とを備える弾性材料から形成されるチューブヘッドアダプタ１０２として要約されてもよい。周方向錐体１２６は、ベースの対応して傾斜する受け部と係合するように構造化されて配置される内側傾斜面１２８を有する。
【００５８】
更なる他の実施形態において、フレア状ルアーコネクタ１００は、少なくとも２つの部材、すなわち、注射器又は他の液体リザーバと係合するように構造化されて配置されるルアーロック取付具１０４としての第１の部材１３０と、ルアーロック取付具１０４に隣接して軸方向に接続されてルアーロック取付具１０４から離れるように広がる周方向錐体１２６などのフレア状部材１１２としての第２の部材１３２とを備える弾性材料から形成されるチューブヘッドアダプタ１０２を有すると見なされてもよい。周方向錐体１２６は、ベースの対応して傾斜する受け部と係合するように構造化されて配置される内側傾斜面１２８を有する。
【００５９】
更に、周方向錐体１２６などのフレア状部材１１２は、ルアーロック取付具１０４が重荷のない注射器又は他の装置によって与えられる対応するルアーロック取付具と自由に係合できるようにルアーロック取付具１０４の背後に配置されると理解されて認識される。
【００６０】
様々な実施形態においては、ルアーロック取付具１０４の直径が周方向錐体１２６の下方で出口１０８へと延びるチューブヘッドアダプタ１０２の直径より大きくても小さくてもよいことも理解されて認識され得る。実際に、ルアーロック取付具１０４及び／又は周方向錐体１２６の下方で出口１０８へと延びるチューブヘッドアダプタ１０２のための異なる直径の使用は、好適には、それぞれが別個の使用のために具体的に構成される異なるフレア状ルアーコネクタ１００を設けることができるようにしてもよい。サイズの様々な違い並びにおそらくは係合面１２０の角度の違いに少なくとも部分的に基づいて、選択されたフレア状ルアーコネクタ１００とそれが結合し得る注射器、流体リザーバ、又は、他の装置との間の不一致の機会は大幅に低減される。
【００６１】
少なくとも１つの実施形態において、フレア状ルアーコネクタ１００は、随意的に、流体チャネル１１０内に配置される少なくとも１つのフィルタ１３４と取り付けられてもよい。更に、少なくとも１つの実施形態では、フィルタ１３４が入口１０６内に配置される。様々な実施形態において、フィルタ１３４は、それが入口１０６と出口１０８との間の途中にあるように流体チャネル１１０内に更に配置されてもよい。
【００６２】
フレア状ルアーコネクタ１００を定圧システム内で使用できるため、患者への液体薬剤又は輸液の送出に関し、フレア状ルアーコネクタ１００が取り付けられる医療用チューブを通じた流量の問題は、特にこのチューブが流量制御チューブ、すなわち、時間の経過に伴って所定の流量を特異的に供給するように設計されたチューブであるとき及び場合においてかなり重要である。チューブへの異物の導入は、流れを制限し、したがって、意図された流量に悪影響を及ぼす場合がある。
【００６３】
液体薬剤又は輸液は、開口したガラスアンプルからのガラス粒子、ゴム栓に刺入する針からもたらされる粒子、及び、薬物製剤中に存在する又は薬物製剤から生じる微粒子などの粒子又は異物を含む可能性がある。ある場合には、微粒子が薬物溶液の凍結融解によって生成される。微粒子は、注入前に再構成される溶液中の薬物の不完全な溶解からも生じ得る。
【００６４】
フレア状ルアーコネクタ１００に結合される注入システム内で有害な流量を潜在的にもたらすことに加えて、体内、特に循環系への注入による粒子の流入は、とりわけ炎症、敗血症、及び、血栓症を含む潜在的な健康上の懸念をもたらし得る。したがって、少なくとも１つの実施形態では、フレア状ルアーコネクタ１００が好適には流体チャネル１１０内に少なくとも１つのフィルタ１３４を含む。
【００６５】
勿論、図１Ａ〜図１Ｃにおいて、フレア状ルアーコネクタ１００は、図示及び説明を容易にするために、医療用チューブがない状態で示されてきた。実際には、フレア状ルアーコネクタ１００の出口１０８は、注射器又は他の装置に対するルアーロック取付具１０４の係合によってその注射器又は他の装置がフレア状ルアーコネクタ１００を介して医療用チューブ内へ液体又は気体を導入できるように医療用チューブに接合され、結合され、或いはさもなければ、融着される。
【００６６】
図２は、チューブヘッドアダプタ１０２の周りに設けられる周方向錐体１２６、グリッパ１２４、及び、ルアーロック取付具１０４の相対的なサイズ及び配置を更に示すフレア状ルアーコネクタ１００の拡大斜視図を与える。
【００６７】
前述したように、フレア状ルアーコネクタ１００の少なくとも１つの有利な態様は、意図される注射器、リザーバ、又は、他の装置に対するフレア状ルアーコネクタ１００に取り付けられる適切なチューブの使用を確保できる高い能力である。この有利な能力は、フレア状ルアーコネクタ１００の係合面１２０と嵌合するように構造化されて配置される受け部を有する対応するベースの使用によって更に達成される。
【００６８】
フレア状ルアーコネクタ１００の前述の説明及び典型的な説明に関しては、フレア状ルアーコネクタ１００が多数の異なる方法で製造されてもよいことが理解されて認識され得る。例えば、限定しないが、少なくとも１つの実施形態において、フレア状ルアーコネクタ１００は、単一部品として、射出成形され、切削され、又は、他の方法で形成されてもよい。流体チャネル１１０は、同様に鋳造／成形／形成されてもよく、或いは、その後にドリル加工されてもよい。
【００６９】
或いは、チューブヘッドアダプタ１０２及びフレア状部材１１２、すなわち、周方向錐体１２６は、別々に鋳造、成形、又は、他の方法で形成された後、例えばスナップ嵌合、接着、或いはさもなければチューブヘッドアダプタ１１２の周りに周方向錐体１２６を結合することによって互いに組み付けられてもよい。実際には、周方向錐体１２６は、組み立て中に周方向錐体１２６を貫くグリッパ１２４の通過を受け入れるための２つの切り欠きを含んでもよく、そのような切り欠きは、そのほかの点では、本明細書中で更に説明されるような周方向錐体１２６の性能を変えず或いはさもなければ周方向錐体１２６の性能に影響を及ぼさない。
【００７０】
ここで、以下の図３Ａ、図３Ｂ、図３Ｃ、図３Ｄ、図４Ａ、及び、図４Ｂは、この有利なベース３００に関して論じられる。更に、フレア状ルアーコネクタ１００及びベース３００が別々に製造、包装され、及び、配送されてもよい別個の物理的な構成要素であるが、それらが互いに協働して相互作用するようになっていることが理解されて認識されるべきである。
【００７１】
図３Ａ、図３Ｂ、図３Ｃ、図３Ｄ、及び、図３Ｅには、本発明の少なくとも１つの実施形態に係るベース３００が示され、図３Ａは上面図、図３Ｂは下面図、図３Ｃは正面図、図３Ｄは、第１の端部から見た側面斜視図であり、図３Ｅは、第２の端部から見た側面斜視図である。より具体的には、ベース３００は、チューブヘッドアダプタ１０２の少なくとも一部を受けるように構造化されて配置される長手方向溝３０４を内側に有する略円筒体３０２によってもたらされる。更に、ベース３００は、受け部３０８と偏向部３１０とを備える第１の端部３０６を有し、受け部と偏向部との間に移行領域３１２を伴う。長手方向溝３０４は一般に長手方向中心線３１４の周囲に配置される。
【００７２】
図において更に分かるように、移行領域３１２は長手方向中心線３１４からオフセットされ、また、ベース３００の側面図を示す図４Ｂに関して、少なくとも１つの実施形態では、移行領域の最前部３１２Ａが長手方向中心線３１４の下方に配置される。
【００７３】
更に、少なくとも１つの実施形態において、ベース３００は、フレア状ルアーコネクタ１００の少なくとも一部を受けるように構造化されて配置される長手方向溝３０４を内側に有する略円筒体３０２として要約されてもよく、円筒体３０２は、受け部３０８と偏向部３１０とをそれらの間に移行領域３１２を伴って備える第１の端部３０６を有する。移行領域３１２は、円筒体３０２の長手方向中心線３１４の下方に配置される。受け部３０８は、長手方向溝３０４から離れるように延び、フレア状ルアーコネクタ１００によってもたらされる内側傾斜面１２８／係合面１２０の少なくとも一部を受けるように対応して傾斜される。偏向部３１０は、長手方向溝３０４を横切って傾斜しており、フレア状ルアーコネクタ１００以外のチューブヘッドアダプタを偏向させるように構造化されて配置される。
【００７４】
少なくとも１つの実施形態において、ベース３００は、それを既存の注射器ポンプ又は他のベースハウジング内に配置してフレア状ルアーコネクタ１００と関連する注射器ポンプ又は他の装置の動作を可能にし得るように少なくとも１つのアタッチャ３１８を有する挿入体３１６としてもたらされてもよい。更に別の実施形態において、ベース３００は、フレア状ルアーコネクタ１００を用いた動作を可能にするべく注射器ポンプ又は他の装置の組み込み要素としてもたらされてもよい。
【００７５】
図示の典型的な実施形態において、アタッチャ３１８は、円筒体３０２の第２の端部３２０に近接して配置される摩擦ロック歯として示されてきた。様々な実施形態において、アタッチャ３１８は、円筒体３０２の中間部又は第２の端部３２０から延びて挿入体３１６をベースハウジングに対して少なくとも一時的に結合できる１つ以上のピン、歯、フランジ、又は、他の適切な機械的装置であってもよい。
【００７６】
ベース３００の拡大斜視図及び側面図を示す図４Ａ及び４Ｂにおそらくより明確に示されるように、受け部３０８は円筒体３０２の長手方向中心線３１４の下方に設けられる。更にまた、受け部３０６は、長手方向中心線３１４から離れるように立ち上がってベース３００の第２の端部３２０に向かって広がる湾曲部である。
【００７７】
受け部３０８とは対照的に、偏向部３１０は、一般に、長手方向中心線３１４と長手方向溝３０４の少なくとも一部とを横切って傾斜する平面４００を画定する。更に、受け部３０８と偏向部３１０との間の移行領域３１２は、長手方向中心線３１４及び長手方向溝３０４から径方向にオフセットされる。
【００７８】
移行領域３１２のこの径方向オフセットは、好適には、ベース３００が対応するフレア状ルアーコネクタ１００を受けることができるがそれ以外では従来のルアーコネクタ又は不適切に選択されたフレア状ルアーコネクタ１００を拒絶するようにする。ルアーコネクタを受け入れる又は拒絶するこの機能的な能力は、少なくとも部分的に、ベース３００の長手方向中心線３１４並びに周方向錐体１２６の内側傾斜面１２８に対する受け部３０８及び偏向部３１０の相対的な位置合わせに基づく。これらの要素及びこの関係が図５及び図６に更に示される。
【００７９】
より具体的には、図５Ａ及び図５Ｂは、フレア状ルアーコネクタ１００の長手方向軸１２２に沿う側面図及び切断図を示す。同様に、図６Ａ及び図６Ｂは底面を示し、ベース３００の長手方向の中心線３１４に沿った長さに沿った断面図を示す。図６Ａに明確に示されるように、受け部３０８と偏向部３１０との間の移行領域３１２は、ベース３００の長手方向中心線３１４から離れるように変位される。
【００８０】
したがって、フレア状ルアーコネクタ１００がベース３００の長手方向溝３０４内に配置されるときに移行領域３１２は周方向錐体１２６内に入る。より重要なことには、受け部３０８は、周方向錐体１２６の内側傾斜面１２８の少なくとも一部と位置合わせして、周方向錐体１２６の少なくとも一部を受けて支持する。更に、内側傾斜面１２８及び受け部３０８の対応する角度は、好適には、フレア状ルアーコネクタ１００をベース３００上にぴったりと配置してベース３００により保持できるようにする。
【００８１】
図７はこれを概念的に示す。図示のように、ステップＩにおいて、フレア状ルアーコネクタ１００は、横方向力矢印７００によって示されるようにベース３００へ向けて移動される。ステップＩＩでは、フレア状ルアーコネクタ１００のフレア状部材１１２／周方向錐体１２６がベース３００、より具体的にはベースの受け部３０８と係合しようとしている。ステップＩＩＩでは、フレア状部材１１２／周方向錐体１２６の係合面１２０が実際に受け部３０８と係合してしまっており、フレア状ルアーコネクタ１００が固定される。
【００８２】
ベース３００と対応するフレア状ルアーコネクタ１００との間で生じる嵌合とは有利な対照を成して、チューブヘッドアダプタの少なくとも一部が長手方向溝３０４内に配置された状態で平坦ディスクを有するチューブヘッドアダプタがベース３００に当て付いて配置されれば、チューブヘッドアダプタに対して長手方向軸に沿って軸方向に圧力が印加されると、ディスクが移行領域３１２と直面して、回転トルク力が発生し、ディスクが偏向部３１０に沿って上方へ押し進められ、それにより、不適切なチューブヘッドがベース３００から追い出される。
【００８３】
図８はこれを概念的に示す。ステップＩに示されるように、ディスクルアーコネクタ８００が横方向力矢印８０２によって示されるようにベース３００へ向けて移動される。ステップＩＩでは、ディスクルアーコネクタ８００のディスク８０４がベース３００と係合しようとしている。ディスク８０４は、受け部３０８のための係合面をもたらさない。ステップＩＩＩでは、横方向力８０２が連続的に印加されるにつれて、ディスク８０４が移行領域３１２と接触し、ディスクルアーコネクタ８００は、傾斜して、移行領域３１２から離れるように上方へ押し進められる。ステップＩＶに示されるように、ディスクルアーコネクタ８００はベース３００から排出される。
【００８４】
更に、典型的な周方向錐体１２６として示される適切に対応するフレア状部材１１２を有さないチューブヘッドアダプタが追い出される。したがって、フレア状ルアーコネクタ１００を備える医療用チューブの操作者及び／又は使用者は、注射器に結合される適切に嵌合する医療用チューブのみを対応するベース３００を伴って構成される注射器ポンプ内に配置できることが保証される。
【００８５】
図９は、ルアーロック取付具１０４によってフレア状ルアーコネクタ１００に結合される注射器９０２を受けたベース３００を伴って構成される注射器ポンプシステム９００の部分拡大断面図を示す。この断面図では、受け部３０８と周方向錐体１２６の内側傾斜面１２８との嵌合位置合わせが更に分かる。
【００８６】
この切断図に関し、少なくとも１つの実施形態において、受け部３０８は、内側傾斜面１２８の一部のみと接触し、それがチューブヘッドアダプタ１０２に対して結合される周方向錐体１２６の内底部に至るまで前方へ延びないことも分かる。
【００８７】
言い換えると、受け部３０８と偏向部３１０との間の移行領域３１２は、内側傾斜面１２８の中間領域に隣接し、したがって、チューブヘッドアダプタ１０２からオフセットされる。図８の典型的な例示に示されるように、少なくとも１つの実施形態において、移行領域３１２のこのオフセットは、対応する周方向錐体１２６以外をもたらすチューブヘッドアダプタ１０２の排出を助けるべく偏向部３０６の有効性を高める。
【００８８】
図示のように適切に係合されると、フレア状ルアーコネクタ１００は、注射器ポンプシステム９００によって圧力が印加されるにつれてベース３００に対して結合する。注射器９０２内からの点９０４により概念化される流体は、フレア状ルアーコネクタ１００内へと方向付けられて、ひいてはそれに結合される医療用チューブ９０６内へと導かれ、したがって、例えば注入療法処置などの患者固有の処置にしたがって患者へと送出され得る。
【００８９】
加えて、フレア状ルアーコネクタ１００、ベース３００、及び、注射器ポンプ９００の使用の安全性も高められる。記載された添付の図に関してより完全に理解されるように、受け部３０８は、注射器を適切なフレア状ルアーコネクタ１００と共に下方へ傾ける。したがって、患者が注射器をある場合には排出されることなく注射器ポンプ９００内に正しく配置しなかった場合でも、プランジャが前方に押し進められるにつれて、フレア状部材１１２／周方向錐体１２６は、ベース３００の受け部３０８と係合し、全ての構成要素がそれらの指定された領域で適切に位置合わせされるように注射器９０２を適切で緊密な嵌合状態へと案内する。
【００９０】
挿入体３１６としてのベース３００の使用は、従来からのチューブヘッドアダプタを受けるための異なるベースを現在もたらす既存の注射器ポンプシステム９００と共にベース３００及びフレア状ルアーコネクタ１００を使用できるようにする。勿論、少なくとも１つの実施形態に関して前述したように、ベース３００は、注射器ポンプシステム９００の一体構成要素として設けられる。
【００９１】
図１０Ａ及び図１０Ｂは、様々な構成要素、すなわち、フレア状ルアーコネクタ１００、ベース３００、注射器９０２、及び、注射器ポンプシステム９００の一般的な位置合わせを更に例示する、フレア状ルアーコネクタ１００、ベース３００、注射器９０２、及び、注射器ポンプシステム９００の部分上面図及び分解側面図を示す。図示の特定の典型的な実施形態において、注射器ポンプ９００は、ニューヨーク州チェスターのＲＭＳメディカルプロダクツにより提供されるＦｒｅｅｄｏｍ６０（登録商標）注射器注入システムである。
【００９２】
図１１は、医療用チューブ９０４との組み付け状態を成すフレア状ルアーコネクタ１００、ベース３００、注射器９０２、及び、注射器ポンプシステム９００の斜視図であり、したがって、組み付けられたシステムはいつでも使用できる状態にある。この場合も図１０Ａ及び図１０Ｂと同様に、図示の典型的な実施形態は、ニューヨーク州チェスターのＲＭＳメディカルプロダクツにより提供されるＦｒｅｅｄｏｍ６０（登録商標）注射器注入システム１１００である注射器ポンプ９００に関連してフレア状ルアーコネクタ１００及びベース３００を利用する。
【００９３】
異なるタイプの注射器ポンプのために異なる実施形態のベース３００が設けられてもよいことが理解されるべきである。これは、好適には、特定のタイプの注射器ポンプと特定のベース３００との特定且つ専用の使用を更に可能にする。図１２Ａ〜図１２Ｅは、特にニューヨーク州チェスターのＲＭＳメディカルプロダクツにより提供されるＦｒｅｅｄｏｍＥｄｇｅ注射器注入システムと共に用いるためのベース１２００としてベース３００が設けられるそのような実施形態を更に示す。
【００９４】
図示のように、図１２Ａは上面図、図１２Ｂは下面図、図１２Ｃは正面図、図１２Ｄは第１の端部から見た側面斜視図、図１２Ｅは第２の端部から見た側面斜視図である。実際に、図１２Ａ〜図１２Ｅは一般に図３Ａ〜図３Ｅに匹敵する。より具体的には、ベース３００／１２００は、チューブヘッドアダプタ１０２の少なくとも一部を受けるように構造化されて配置される長手方向溝３０４を内側に有する略円筒体３０２によってもたらされる。更に、ベース３００は、受け部３０８と偏向部３１０とを備える第１の端部３０６を有し、受け部と偏向部との間に移行領域３１２を伴う。長手方向溝３０４は一般に長手方向中心線３１４の周囲に配置される。
【００９５】
更に、少なくとも１つの実施形態において、ベース３００／１２００は、フレア状ルアーコネクタ１００の少なくとも一部を受けるように構造化されて配置される長手方向溝３０４を内側に有する略円筒体３０２として要約されてもよく、円筒体３０２は、受け部３０８と偏向部３１０とをそれらの間に移行領域３１２を伴って備える第１の端部３０６を有する。移行領域３１２は、円筒体３０２の長手方向中心線３１４の下方に配置される。受け部３０８は、長手方向溝３０４から離れるように延び、フレア状ルアーコネクタ１００によってもたらされる内側傾斜面１２８の少なくとも一部を受けるように対応して傾斜される。偏向部３１０は、長手方向溝３０４を横切って傾斜しており、フレア状ルアーコネクタ１００以外のチューブヘッドアダプタを偏向させるように構造化されて配置される。
【００９６】
実際に、Ｆｒｅｅｄｏｍ６０（登録商標）注射器注入システムに適合可能なベース３００とＦｒｅｅｄｏｍＥｄｇｅ注射器注入システムに適合可能なベース１２００とに関する実施形態間の有利な差異は、ほぼ一貫した幾何学的形態を有するＦｒｅｅｄｏｍ６０（登録商標）のための円筒体３０２によって達成され、これに対し、ＦｒｅｅｄｏｍＥｄｇｅのための円筒体３０２は、少なくとも２つの異なる領域、すなわち、第１の領域１２０２及び第２の領域１２０４に伴って変化する幾何学的形態を有する。いずれの場合にも、それぞれに関する少なくとも１つの実施形態において、長手方向溝３０４は、ベース３００又はベース１２００のいずれかが同じフレア状ルアーコネクタ１００を受けることができるように実質的に同一である。
【００９７】
図１３は、医療用チューブ９０４との組み付け状態を成すフレア状ルアーコネクタ１００、ベース３００、注射器９０２、及び、注射器ポンプシステム９００の斜視図であり、したがって、組み付けられたシステムはいつでも使用できる状態にある。この典型的な実施形態においては、ニューヨーク州チェスターのＲＭＳメディカルプロダクツにより提供されるＦｒｅｅｄｏｍＥｄｇｅ注射器注入システム１３００である注射器ポンプ９００に関連するフレア状ルアーコネクタ１００及びベース３００が示される。ＦｒｅｅｄｏｍＥｄｇｅ  １３００は開放状態で示され、この場合も先と同様に、実際の使用時には、トップカバーが閉じられる。
【００９８】
フレア状ルアーコネクタ１００及びベース３００の前述の説明に関し、少なくとも１つの実施形態では、フレア状ルアーコネクタ１００を有するチューブ９０６及びベース３００がキットとして設けられてもよく、キットは、望ましいときに望み通りに無菌包装状態で準備されて提供される。
【００９９】
フレア状ルアーコネクタ１００の実施形態について説明してきたが、ここで、フレア状ルアーコネクタ１００を使用する少なくとも１つの方法に関連する他の実施形態について説明する。説明される方法を本明細書中に記載される順序で行なう必要はなく、これがフレア状ルアーコネクタ１００を使用する１つの典型的な方法にすぎないことが分かる。
【０１００】
ここで図１４を参照すると、一般に、少なくとも１つの実施形態において、方法１４００は、ルアーロック取付具１０４と周方向錐体１２８などのフレア状部材１１２とを伴うフレア状ルアーコネクタ１００を有するチューブ９０６を用意するブロック１４０２から始まる。より具体的には、前述のように、少なくとも１つの実施形態において、フレア状ルアーコネクタ１００は、注射器９０２と係合するように構造化されて配置されるルアーロックコネクタ１０４を備える弾性材料から形成されるチューブヘッドアダプタ１０２によってもたらされる。
【０１０１】
前述のように、少なくとも１つの実施形態において、チューブヘッドアダプタ１０２は、チューブヘッドアダプタ１０２から立ち上がってルアーロック取付具１０４から離れるように広がる周方向錐体１２６を有する。前述のように、周方向錐体１２６は、ベース３００の対応して傾斜する受け部３０８と係合するように係合面１２０として構造化されて配置される内側傾斜面を有する。
【０１０２】
この方法は、フレア状ルアーコネクタ１００のルアーロック取付具１０４をバレルを有する注射器９０２に係合させるブロック１２０４を続け、バレルは、該バレル内に配置されてバレルに沿って移動可能なプランジャを有し、したがって、周方向錐体１２６は注射器９０２から離れるように広がる。次に、係合されたフレア状ルアーコネクタ１００とチューブ９０６とを伴う注射器９０２が、注射器ポンプシステム９００、アクチュエータ、及び、ベース３００内に配置される（ブロック１４０６）。
【０１０３】
前述のように、ベース３００は、チューブヘッドアダプタ１０２の少なくとも一部を受けるように構造化されて配置される長手方向溝３０４を有する。ベース３００は、長手方向溝３０４から離れるように延びて周方向錐体１２６の内側傾斜面１２８、すなわち、係合面１２０の少なくとも一部を受けるように対応して傾斜される受け部３０８を更に有する。ベース３００は、長手方向溝３０４を横切って傾斜する偏向部３１０も有し、偏向部３１０は、フレア状ルアーコネクタ１００以外を有するチューブヘッドアダプタを偏向させるように構造化されて配置される。
【０１０４】
この方法は、注射器ポンプのアクチュエータを作動させるブロック１４０８を続け、アクチュエータは、作動時に、注射器のプランジャと係合してプランジャをフレア状ルアーコネクタ１００及びチューブ９０６へ向けて押し進めるように構造化されて配置される。アクチュエータの力は、周方向錐体１２６の内側傾斜面１２８をベース３００の受け部３０８に更に係合させる。
【０１０５】
本明細書の範囲から逸脱することなく、前述の方法、システム、及び、構造において変更を成すことができる。したがって、前述の説明に含まれる及び／又は添付図面に示される事柄が例示的なものとして限定的な意味でなく解釈されるべきであることに留意すべきである。実際に、当業者に明らかなように、多くの他の実施形態を実現できて想定できる。以下の特許請求の範囲は、本明細書中で論じられる実施形態によって限定されず又はこれらの実施形態に限定されず、それらの用語及び均等論のみによって限定される。
【図１Ａ】
2019500966.tif 000003
【図１Ｂ】
2019500966.tif 000004
【図１Ｃ】
2019500966.tif 000005
【図２】
2019500966.tif 000006
【図３Ａ】
2019500966.tif 000007
【図３Ｂ】
2019500966.tif 000008
【図３Ｃ】
2019500966.tif 000009
【図３Ｄ】
2019500966.tif 000010
【図３Ｅ】
2019500966.tif 000011
【図４Ａ】
2019500966.tif 000012
【図４Ｂ】
2019500966.tif 000013
【図５Ａ】
2019500966.tif 000014
【図５Ｂ】
2019500966.tif 000015
【図６Ａ】
2019500966.tif 000016
【図６Ｂ】
2019500966.tif 000017
【図７】
2019500966.tif 000018
【図８】
2019500966.tif 000019
【図９】
2019500966.tif 000020
【図１０Ａ】
2019500966.tif 000021
【図１０Ｂ】
2019500966.tif 000022
【図１１】
2019500966.tif 000023
【図１２Ａ】
2019500966.tif 000024
【図１２Ｂ】
2019500966.tif 000025
【図１２Ｃ】
2019500966.tif 000026
【図１２Ｄ】
2019500966.tif 000027
【図１２Ｅ】
2019500966.tif 000028
【図１３】
2019500966.tif 000029
【図１４】
2019500966.tif 000030
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
医療用チューブのためのフレア状ルアーコネクタにおいて、
弾性材料から形成されるチューブヘッドアダプタを備え、このチューブヘッドアダプタは、
入口及び該入口とは反対側の出口であって、前記入口と前記出口との間に長手方向軸を伴う、入口及び出口と、
前記入口に近接して形成され、注射器と係合するように構造化されて配置されるルアーロック取付具と、
前記ルアーロック取付具と前記出口との間に配置される少なくとも１つのフレア状部材であって、前記フレア状部材が前記チューブヘッドアダプタから立ち上がって前記出口へ向けて傾斜され、前記フレア状部材が前記チューブヘッドアダプタと遠位縁部との間に少なくとも１つの係合面を更に備え、前記係合面が前記長手方向軸に対して鋭角を成す、少なくとも１つのフレア状部材と、
を備える、フレア状ルアーコネクタ。
【請求項２】
前記係合面は、ベースの対応して傾斜される受け部と係合するように構造化されて配置され、前記ベースは、前記フレア状部材以外を有するチューブヘッドアダプタを偏向させるように構造化されて配置される傾斜した偏向部を有する、請求項１に記載のフレア状ルアーコネクタ。
【請求項３】
前記ベースが注射器ポンプに設けられる挿入体である、請求項２に記載のフレア状ルアーコネクタ。
【請求項４】
前記ベースが注射器ポンプの構成要素である、請求項２に記載のフレア状ルアーコネクタ。
【請求項５】
前記チューブヘッドアダプタは、前記ルアーロック取付具が注射器と係合されるときに操作者により把持されるように構造化されて配置される少なくとも１つのグリッパを更に備える、請求項１に記載のフレア状ルアーコネクタ。
【請求項６】
前記係合面の角度が一定である、請求項１に記載のフレア状ルアーコネクタ。
【請求項７】
前記係合面の角度が放物線に対応する、請求項１に記載のフレア状ルアーコネクタ。
【請求項８】
前記フレア状部材は、前記チューブヘッドアダプタが前記注射器から取り外されて少なくとも部分的に表面上に水平に配置されるときに前記ルアーロック取付具を表面から離れるように持ち上げる、請求項１に記載のフレア状ルアーコネクタ。
【請求項９】
前記チューブヘッドアダプタが略円筒状である、請求項１に記載のフレア状ルアーコネクタ。
【請求項１０】
前記ルアーロック取付具は、円筒状のハウジング内に嵌合するように構造化されて配置される第１の外側部分を有し、前記フレア状部材は、前記第１の外側部分の背後で前記チューブヘッドアダプタの周りに配置される、請求項１に記載のフレア状ルアーコネクタ。
【請求項１１】
前記フレア状部材は、前記チューブヘッドアダプタから立ち上がって前記ルアーロック取付具から離れるように広がる周方向錐体である、請求項１に記載のフレア状ルアーコネクタ。
【請求項１２】
前記周方向錐体は、前記ヘッドアダプタに対して垂直な略円形断面を有する、請求項１１に記載のフレア状ルアーコネクタ。
【請求項１３】
前記周方向錐体は、前記ヘッドアダプタに対して垂直な断面が少なくとも１つの直線部を有するように複数の部分によってもたらされる、請求項１１に記載のフレア状ルアーコネクタ。
【請求項１４】
前記フレア状ルアーコネクタが医療用チューブに結合される、請求項１に記載のフレア状ルアーコネクタ。
【請求項１５】
前記入口と前記出口との間の流体チャネル内に配置される少なくとも１つのフィルタを更に含む、請求項１に記載のフレア状ルアーコネクタ。
【請求項１６】
少なくとも２つの部材、すなわち、注射器と係合するように構造化されて配置されるルアーロック取付具としての第１の部材と、前記ルアーロック取付具に隣接して軸方向に接続される周方向錐体としての第２の部材とを備える、弾性材料から形成されるチューブヘッドアダプタを備え、前記周方向錐体は、前記チューブヘッドアダプタから立ち上がって、前記第１の部材のルアーロック取付具から離れるように広がり、前記周方向錐体は、ベースの対応して傾斜される受け部と係合するように構造化されて配置される内側傾斜面を有する、医療用チューブのためのフレア状ルアーコネクタ。
【請求項１７】
前記第２の部材は、前記第１の部材の前記ルアーロック取付具の背後で軸方向に接続される請求項１６に記載のフレア状ルアーコネクタ。
【請求項１８】
前記チューブヘッドアダプタは、前記ルアーロック取付具が注射器と係合されるときに操作者により把持されるように構造化されて配置される少なくとも１つのグリッパを更に備える、請求項１６に記載のフレア状ルアーコネクタ。
【請求項１９】
前記周方向錐体は、前記チューブヘッドアダプタが前記注射器から取り外されて少なくとも部分的に表面上に水平に配置されるときに前記ルアーロック取付具を表面から離れるように持ち上げる、請求項１６に記載のフレア状ルアーコネクタ。
【請求項２０】
前記周方向錐体は、前記ヘッドアダプタに対して垂直な略円形断面を有する、請求項１６に記載のフレア状ルアーコネクタ。
【請求項２１】
前記内側傾斜面の角度が一定である、請求項１６に記載のフレア状ルアーコネクタ。
【請求項２２】
前記内側傾斜面の角度が放物線に対応する、請求項１６に記載のフレア状ルアーコネクタ。
【請求項２３】
前記チューブヘッドアダプタは、前記ルアーロック取付具に隣接する入口と、該入口とは反対側の出口とを備え、前記入口と前記出口との間に流体チャネルを伴い、前記フレア状ルアーコネクタは、前記流体チャネル内に配置される少なくとも１つのフィルタを更に含む、請求項１６に記載のフレア状ルアーコネクタ。
【請求項２４】
医療用チューブのためのフレア状ルアーコネクタと共に用いる注射器ポンプにおいて、
バレルに沿って移動可能なプランジャと係合チューブとを有する注射器を受けるように構造化されて配置されるハウジングであって、前記係合チューブが、前記注射器に係合されるルアーロック取付具を備えるヘッドアダプタと、前記ヘッドアダプタから立ち上がって前記ルアーロック取付具から離れるように広がる周方向錐体とを備え、前記周方向錐体が内側傾斜面を有する、ハウジングと、
前記フレア状ルアーコネクタの少なくとも一部を受けるように構造化されて配置される長手方向溝を内側に有する略円筒体を有するベースであって、前記円筒体が第１の端部を有し、前記第１の端部が、移行領域を間に伴う受け部及び偏向部を備え、
前記移行領域が前記円筒体の長手方向中心線の下方に配置され、
前記受け部が、前記長手方向溝から離れるように延びるとともに、前記フレア状ルアーコネクタによってもたらされる内側傾斜面の少なくとも一部を受けるように対応して傾斜され、
前記偏向部が、前記長手方向溝を横切って傾斜するとともに、前記フレア状ルアーコネクタ以外のチューブヘッドアダプタを偏向させるように構造化されて配置される、
ベースと、
前記注射器のプランジャと係合して該プランジャを前記チューブへ向けて押し進めるように構造化されて配置されるアクチュエータであって、前記アクチュエータの力が前記周方向錐体の前記内側傾斜面を前記ベースの受け部に更に係合させるアクチュエータと、
を備える注射器ポンプ。
【請求項２５】
前記偏向部は、前記周方向錐体以外を有するチューブヘッドアダプタを偏向させるように構造化されて配置される、請求項２４に記載の注射器ポンプ。
【請求項２６】
前記受け部と前記偏向部との間の移行領域が前記長手方向溝から径方向にオフセットされる、請求項２４に記載の注射器ポンプ。
【請求項２７】
前記ベースは、ベースハウジングと結合するように構造化されて配置される挿入体である、請求項２４に記載の注射器ポンプ。
【請求項２８】
前記受け部は、前記長手方向溝に対して垂直な略円形断面を有する、請求項２４に記載の注射器ポンプ。
【請求項２９】
前記受け部の角度が一定である、請求項２４に記載の注射器ポンプ。
【請求項３０】
前記受け部の角度が放物線に対応する、請求項２４に記載の注射器ポンプ。
【請求項３１】
医療用チューブのためのフレア状ルアーコネクタのためのベースにおいて、
前記フレア状ルアーコネクタの少なくとも一部を受けるように構造化されて配置される長手方向溝を内側に有する略円筒体を備え、前記円筒体が第１の端部を有し、前記第１の端部は、移行領域を間に伴う受け部及び偏向部を備え、
前記移行領域が前記円筒体の長手方向中心線の下方に配置され、
前記受け部は、前記長手方向溝から離れるように延びるとともに、前記フレア状ルアーコネクタによってもたらされる内側傾斜面の少なくとも一部を受けるように対応して傾斜され、
前記偏向部は、前記長手方向溝を横切って傾斜するとともに、前記フレア状ルアーコネクタ以外のチューブヘッドアダプタを偏向させるように構造化されて配置される、
ベース。
【請求項３２】
前記フレア状ルアーコネクタは、
弾性材料から形成されるチューブヘッドアダプタを含み、このチューブヘッドアダプタは、
入口及び該入口とは反対側の出口であって、前記入口と前記出口との間に長手方向軸を伴う、入口及び出口と、
前記入口に近接して形成され、注射器と係合するように構造化されて配置されるルアーロック取付具と、
前記ルアーロック取付具と前記出口との間に配置される少なくとも１つのフレア状部材であって、前記フレア状部材が前記チューブヘッドアダプタから立ち上がって前記出口へ向けて傾斜され、前記フレア状部材が前記チューブヘッドアダプタと遠位縁部との間に少なくとも１つの内側傾斜面を更に備え、前記内側傾斜面が前記長手方向軸に対して鋭角を成す、少なくとも１つのフレア状部材と、
を備える請求項３１に記載のベース。
【請求項３３】
注射器と係合するように構造化されて配置されるルアーロック取付具を備える、弾性材料から形成されるチューブヘッドアダプタと、前記ヘッドアダプタから立ち上がって前記ルアーロック取付具から離れるように広がる周方向錐体とを有し、前記錐体が、ベースの対応して傾斜される受け部と係合するように構造化されて配置される内側傾斜面を有する、チューブと、
フレア状ルアーコネクタの少なくとも一部を受けるように構造化されて配置される長手方向溝を内側に有する略円筒体を有するベースであって、前記円筒体が第１の端部を有し、前記第１の端部が、移行領域を間に伴う受け部及び偏向部を備え、
前記移行領域が前記円筒体の長手方向中心線の下方に配置され、
前記受け部が、前記長手方向溝から離れるように延びるとともに、前記フレア状ルアーコネクタによってもたらされる内側傾斜面の少なくとも一部を受けるように対応して傾斜され、
前記偏向部が、前記長手方向溝を横切って傾斜するとともに、前記フレア状ルアーコネクタ以外のチューブヘッドアダプタを偏向させるように構造化されて配置される、
ベースと、
を備える、注射器ポンプのためのフレア状ルアー医療用チューブキット。
【請求項３４】
フレア状ルアー医療用チューブを使用するための方法において、
注射器と係合するように構造化されて配置されるルアーロック取付具を備える、弾性材料から形成されるチューブヘッドアダプタと、前記チューブヘッドアダプタから立ち上がって前記ルアーロック取付具から離れるように広がる周方向錐体とを有するチューブを用意するステップであって、前記周方向錐体がベースの対応して傾斜される受け部と係合するように構造化されて配置される内側傾斜面を有する、ステップと、
前記チューブの前記ルアーロック取付具をバレルを有する注射器に係合させるステップであって、前記バレルが、該バレル内に配置されて前記バレルに沿って移動できるプランジャを有し、したがって、前記周方向錐体が前記注射器から離れるように広がる、ステップと、
アクチュエータ及びベースを有するポンプ内に係合されたチューブと共に前記注射器を配置するステップであって、前記ベースが、
前記チューブの少なくとも一部を受けるように構造化されて配置される長手方向溝と、
前記長手方向溝から離れるように延びるとともに、前記周方向錐体の前記内側傾斜面の少なくとも一部を受けるように対応して傾斜される受け部と、
前記長手方向溝を横切って傾斜するとともに、前記周方向錐体以外を有するチューブヘッドアダプタを偏向させるように構造化されて配置される偏向部と、
を有し、
前記アクチュエータが前記注射器のプランジャと係合して該プランジャを前記チューブへ向けて押し進めるように構造化されて配置され、前記アクチュエータの力が前記周方向錐体の前記内側傾斜面を前記ベースの前記受け部に更に係合させる、ステップと、
を備える方法。
【国際調査報告】
2019500966.tif 000031
2019500966.tif 000032